(57)【特許請求の範囲】
【請求項１】
筐体内へプリント基板を実装するための開口部に着脱可能に取付けられた表示パネルと、上記表示パネルに設けられて上記プリント基板に設けられた表示器の表示状況を見ることができる表示孔と、上記表示パネルの一部に形成した上記プリント基板を引き抜くためのＬ字形の引掛け爪と、上記引掛け爪が係合可能な引掛け孔を形成した上記プリント基板を備えて、上記引掛け孔に上記引掛け爪を係合することによって上記プリント基板を上記筐体内から引き出し可能に構成したことを特徴とする電子機器。
【発明の詳細な説明】
【０００１】
【発明の属する技術分野】
この発明は機器本体内に実装されたプリント基板が簡単に引き出せるようにした電子機器に関する。
【０００２】
【従来の技術】
従来この種の技術としては、例えば実開平３−９０４９１号公報に記載されたものが公知である。
【０００３】
上記従来の電子機器は、図６に示すように電子機器の筐体ａ内に実装されたプリント基板ｂを引き出す場合、まず筐体ａより表示パネルｃを取外し、次にプリント基板ｂの両側部に開口された金具挿入孔ｄに引き抜き金具ｅの先端を挿入する。
【０００４】
そしてこの状態で筐体ａの開口縁ｆを支点にして引き抜き金具ｅの把手部分を回動すると、マザーボードｇにコネクタｈを介してプラグインされていたプリント基板ｂがマザーボードｇより抜け外れるので、プリント基板ｂをガイドしているガイドレールｉに沿ってプリント基板ｂを引き出すことにより、プリント基板ｂを筐体ａ内より引き出すことができ、テコの原理を利用しているため、大きな力を必要としないでマザーボードｇよりプリント基板ｂを引き抜くことができる利点を有している。
【０００５】
【発明が解決しようとする課題】
しかし上記従来の電子機器では、プリント基板ｂを引き抜くのに引き抜き金具ｅを必要とするため、機器やプリント基板に予め引き抜き金具ｅを付属品として添付する必要があり、コストが嵩むなどの不具合がある。
【０００６】
また電子機器の使用者は、引き抜き金具を紛失しないように保管する必要があるため、保管が面倒であると共に、もし紛失した場合、プリント基板の引き出しができなくなるなどの不具合もある。
【０００７】
この発明はかかる従来の不具合を改善することにより、表示パネルに引き抜き金具の機能を持たせることにより、引き抜き金具を必要とせずにプリント基板の引き出しができるようにした電子機器を提供することを目的とするものである。
【０００８】
【課題を解決するための手段】
この発明は上記目的を達成するため、筐体内へプリント基板を実装するための表示パネルに引掛け爪を、またプリント基板側には上記引掛け爪が係合する引掛け孔を設けて、表示パネルにプリント基板を引き抜く引き抜き金具の機能を持たせたもので、引き抜き金具を使用せずプリント基板の引き出しが行えるようになる。
【０００９】
【発明の実施の形態】
この発明は、筐体内へプリント基板を実装するための開口部に着脱可能に取付けられた表示パネルと、表示パネルに設けられてプリント基板に設けられた表示器の表示状況を見ることができる表示孔と、表示パネルの一部に形成したプリント基板を引き抜くためのＬ字形の引掛け爪と、引掛け爪が係合可能な引掛け孔を形成したプリント基板を備えて、引掛け孔に引掛け爪を係合することによってプリント基板を筐体内から引き出し可能に構成したものである。
【００１０】
上記構成により、表示パネルに設けられた引掛け爪をプリント基板の引掛け孔に係合して表示パネルを引張ることにより、筐体内よりプリント基板が引き出せるため、プリント基板を引き抜くための引き抜き金具が不要となる。
【００１１】
以下この発明の実施の形態を図１ないし図５に示す図面を参照して詳述する。
【００１２】
図１は電子機器の斜視図、図２は図１のＡ−Ａ線に沿う断面図、図３は表示パネルの斜視図、図４及び図５はプリント基板を引き出す際の作用説明図である。
【００１３】
これら図において１は電子機器の筐体で、前面側の開口部にフロントパネル２が取付けられており、フロントパネル２の前面には、一対のハンドル３が取付けられている。
【００１４】
上記フロントパネル２の例えば左側上部には、筐体１内へガラスエポキシや紙フェノールなどよりなるプリント基板４を実装するための開口部２ａが開口されている。
【００１５】
上記開口部２ａの奥方には、筐体１内に装着されたマザーボード５がコネクタ６を開口部２ａ側に向けて取付けられており、マザーボード５の前方には、開口部２ａより挿入されたプリント基板４をマザーボード５へガイドするガイドレール７が布設されていて、プリント基板４の一端側に設けられたコネクタ８がマザーボード５のコネクタ６に確実に嵌合できるようになっている。
【００１６】
一方上記プリント基板４の他端側には、複数の表示器９が横方向に間隔を存して取付けられていると共に、これら表示器９の表示部９ａは、上記フロントパネル２の開口部２ａに着脱自在に取付けられた表示パネル１０の表示孔１０ａより外側へ露出するようになっている。
【００１７】
上記表示パネル１０は、開口部２ａとほぼ同じ大きさで、上縁と下縁が内側に折曲げられており、両端側に取付けられた取付けねじ１１を開口部２ａの両側に突設された取付け片２ｂのねじ孔２ｃに螺挿することにより、筐体１の開口部１ａに着脱自在に取付けられている。
【００１８】
また上記表示パネル１０の下部両側には、上記プリント基板４の他端側角部に穿設された長孔状の引掛け孔４ａへ挿入可能な引掛け爪１０ｂが突設されている。
【００１９】
上記引掛け爪１０ｂは図３に示すようにほぼＬ字形に形成されていて、上記プリント基板４の引掛け孔４ａに同時に挿入できるよう引掛け爪１０ｂと引掛け孔４ａの間隔がほぼ等しくなっている。
【００２０】
なお表示パネル１０の表面には、ＬＥＤやスイッチなどの名称が印刷やエッチングなどの手段で表示されているが、図面では何れも省略してある。
【００２１】
次に上記構成された電子機器の作用を説明すると、電子機器の使用状態では、フロントパネル２の開口部２ａは表示パネル１０で塞がれており、プリント基板４に設けられた表示器９の表示状況は、表示パネル１０の表示孔１０ａより見ることができるようになっている。
【００２２】
一方筐体１内に実装したプリント基板４を取外したり、別のプリント基板４と交換する場合は、まず表示パネル１０を取付けている取付けねじ１１を緩めて表示パネル１０を開口部２ａより取外し、次に表示パネル１０の上面を図５に示すように上向きにして、表示パネル１０に突設された引掛け爪１０ｂをプリント基板４の引掛け孔４ａに図６に示すように嵌挿する。
【００２３】
そしてこの状態で表示パネル１０を手前側へ引っ張って、マザーボード５のコネクタ６よりプリント基板４のコネクタ８を引き抜く。
【００２４】
表示パネル１０の上縁は、予め内側に折曲げられているので、この折曲げ部１０ｃに指を掛けて表示パネル１０を手前へ引くことにより、マザーボード５よりプリント基板４を簡単に引き抜くことができる。
【００２５】
マザーボード５のコネクタ６よりプリント基板４のコネクタ８が外れたら、ガイドレール７に沿ってプリント基板４を引き出すことにより、引き抜き金具を使用せずに筐体１内よりプリント基板４を取外すことができるようになる。
【００２６】
【発明の効果】
この発明は以上詳述したように、プリント基板を筐体内へ実装するための開口部を閉鎖する表示パネルに、プリント基板を引き抜くための引き抜き金具の機能を持たせたことから、引き抜き金具を使用せずに筐体内よりプリント基板を引き出すことができる。
【００２７】
これによって予め付属品として引き抜き金具を電子機器やプリント基板に添付する必要がないため、部品点数の削減と、これに伴うコストの削減が図れると共に、使用者側も、紛失しないように引き抜き工具を保管するなどの面倒な手間が不要となる上、引き抜き金具を紛失したため、プリント基板が引き出せないなどの不具合も解消することができる。
【００２８】
また表示パネルの一部に引掛け爪を実設するだけでよいため、容易かつ安価に突設することもできる。
【図面の簡単な説明】
【図１】  この発明の実施の形態になる電子機器の斜視図
【図２】  図１のＡ−Ａ線に沿う断面図
【図３】  この発明の実施の形態になる電子機器の開口部に装着された表示パネルの斜視図
【図４】  この発明の実施の形態になる電子機器からプリント基板を引き出す作用説明図
【図５】  この発明の実施の形態になる電子機器からプリント基板を引き出す作用説明図
【図６】  従来のプリント基板引き出し装置を備えた電子機器の説明図
【符号の説明】
１        筐体
２        フロントパネル
２ａ      開口部
２ｂ      取付け片
２ｃ      ねじ孔
３        ハンドル
４        プリント基板
４ａ      引掛け孔
５        マザーボード
６        コネクタ
７        ガイドレール
８        コネクタ
９        表示器
９ａ      表示部
１０      表示パネル
１０ａ    表示孔
１０ｂ    引掛け爪
１０ｃ    折曲げ部
１１      取付けねじ
【図１】
0004044643.tif 000002
【図２】
0004044643.tif 000003
【図３】
0004044643.tif 000004
【図４】
0004044643.tif 000005
【図５】
0004044643.tif 000006
【図６】
0004044643.tif 000007